(57)【要約】【課題】意匠の多様性を得ることができる金属製板状建築材及びその製造方法を提供する。【解決手段】本発明による金属製板状建築材は、短手方向１Ｓに互いに間隔を置いて配置されるとともに、長手方向１Ｌに沿って直線状に延在された複数の凹面部３と、短手方向１Ｓに関して各凹面部３の間に配置されるとともに、長手方向１Ｌに沿って直線状に延在された複数の凸面部４とを有する波板状の金属製板状建築材であって、凹面部３に付されている色及び／又は柄が、凸面部４に付されている色及び／又は柄と異なる。【選択図】図１
2018172898.tif 000002
【特許請求の範囲】
【請求項１】
短手方向に互いに間隔を置いて配置されるとともに、長手方向に沿って直線状に延在された複数の凹面部と、
前記短手方向に関して各凹面部の間に配置されるとともに、前記長手方向に沿って直線状に延在された複数の凸面部と
を有する波板状の金属製板状建築材であって、
前記凹面部に付されている色及び／又は柄が、前記凸面部に付されている色及び／又は柄と異なる
金属製板状建築材。
【請求項２】
前記凹面部には、底面と、前記底面から延びる凹側中間面とが含まれており、
前記凸面部には、頂面と、前記頂面から延びるとともに前記凹側中間面に接続された凸側中間面とが含まれており、
前記凹側中間面及び凸側中間面に付されている色及び／又は柄は、前記底面に付されている色及び／又は柄から前記頂面に付されている色及び／又は柄に徐々に変化するものである、
請求項１記載の金属製板状建築材。
【請求項３】
短手方向に互いに間隔を置いて配置されるとともに、長手方向に沿って直線状に延在された複数の凹面部と、前記短手方向に関して各凹面部の間に配置されるとともに、前記長手方向に沿って直線状に延在された複数の凸面部とを有する波板状の金属製板状建築材を製造するための方法であって、
成形加工を施した後に、前記凹面部に付されている色及び／又は柄が、前記凸面部に付されている色及び／又は柄と異なるように、平板状の金属板に塗装を施したプレコート金属板を製造する工程と、
前記プレコート金属板に成形加工を施す工程と
を含む、方法。
【請求項４】
前記凹面部には、底面と、前記底面から延びる凹側中間面とが含まれており、
前記凸面部には、頂面と、前記頂面から延びるとともに前記凹側中間面に接続された凸側中間面とが含まれており、
前記凹側中間面及び凸側中間面に付されている色及び／又は柄は、前記底面に付されている色及び／又は柄から前記頂面に付されている色及び／又は柄に徐々に変化するものである、
請求項３記載の方法。
【発明の詳細な説明】
【技術分野】
【０００１】
本発明は、長手方向に沿って直線状に延在された複数の凹面部及び凸面部を有する波板状の金属製板状建築材及びその製造方法に関する。
【背景技術】
【０００２】
例えば下記の非特許文献１等に示されているように、長手方向に沿って直線状に延在された複数の凹面部及び凸面部を有する波板状の金属製板状建築材が知られている。この種の金属製板状建築材は、そのシンプルな意匠を活かすように単色で塗装が施されている。
【先行技術文献】
【非特許文献】
【０００３】
【非特許文献１】「金属屋根外装建材成形品  総合カタログＮｏ．２１」、月星商事株式会社、２０１６年１１月、７０頁
【発明の概要】
【発明が解決しようとする課題】
【０００４】
上記のような従来の金属製板状建築材では、シンプルな意匠を活かすように単色で塗装が施されているので、意匠の多様性を確保することが難しい。
【０００５】
本発明は、上記のような課題を解決するためになされたものであり、その目的は、意匠の多様性を得ることができる金属製板状建築材及びその製造方法を提供することである。
【課題を解決するための手段】
【０００６】
本発明に係る金属製板状建築材は、短手方向に互いに間隔を置いて配置されるとともに、長手方向に沿って直線状に延在された複数の凹面部と、短手方向に関して各凹面部の間に配置されるとともに、長手方向に沿って直線状に延在された複数の凸面部とを有する波板状の金属製板状建築材であって、凹面部に付されている色及び／又は柄が、凸面部に付されている色及び／又は柄と異なる。
【０００７】
本発明に係る金属製板状建築材の製造方法は、短手方向に互いに間隔を置いて配置されるとともに、長手方向に沿って直線状に延在された複数の凹面部と、短手方向に関して各凹面部の間に配置されるとともに、長手方向に沿って直線状に延在された複数の凸面部とを有する波板状の金属製板状建築材を製造するための方法であって、成形加工を施した後に、凹面部に付されている色及び／又は柄が、凸面部に付されている色及び／又は柄と異なるように、平板状の金属板に塗装を施したプレコート金属板を製造する工程と、プレコート金属板に成形加工を施す工程とを含む。
【発明の効果】
【０００８】
本発明の金属製板状建築材及びその製造方法によれば、凹面部に付されている色及び／又は柄が、凸面部に付されている色及び／又は柄と異なるので、意匠の多様性を得ることができる。
【図面の簡単な説明】
【０００９】
【図１】本発明の実施の形態１による金属製板状建築材を示す斜視図である。
【図２】図１の金属製板状建築材の要部を拡大して示す拡大斜視図である。
【図３】図２の凹面部及び凸面部に付される柄の例を示す説明図である。
【図４】図２の凹面部及び凸面部に付される色及び柄をより具体的に示す説明図である。
【図５】図１の金属製板状建築材を製造するための方法を示すフローチャートである。
【図６】図１の凹側中間面及び凸側中間面をより詳細に示す説明図である。
【発明を実施するための形態】
【００１０】
以下、本発明を実施するための形態について、図面を参照して説明する。
実施の形態１．
図１は本発明の実施の形態１による金属製板状建築材１を示す斜視図であり、図２は図１の金属製板状建築材１の要部を拡大して示す拡大斜視図である。図１及び図２に示す金属製板状建築材１は、例えば建物の外装及び内装等に用いることができる建築資材であり、凹凸を形成するように金属板に成形加工が施された波板状の折板部材である。
【００１１】
図１及び図２に示すように、金属製板状建築材１は、金属製板状建築材１の長手方向１Ｌに沿って直線状に延在する複数の凹面部３と複数の凸面部４とを有している。
【００１２】
各凹面部３は、金属製板状建築材１を建物の躯体に取り付けた際に奥側（躯体側）向けて窪んだ面によって構成されており、金属製板状建築材１の短手方向１Ｓに互いに間隔を置いて配置されている。
【００１３】
各凸面部４は、金属製板状建築材１を建物の躯体に取り付けた際に手前側（反躯体側）向けて突出した面によって構成されており、金属製板状建築材１の短手方向１Ｓに関して各凹面部３の間に配置されている。各凹面部３と各凸面部４との境界は、金属製板状建築材１の側面又は断面における凹凸（湾曲）の変曲点とすることができる。
【００１４】
これら凹面部３及び凸面部４は、長手方向１Ｌに関する金属製板状建築材１の幅全体に延在された丸形状の意匠を構成している。
【００１５】
図２に特に示すように、凹面部３には、底面３ａと凹側中間面３ｂとが含まれている。底面３ａは、凹面部３の最も窪んだ底部を含む所定幅の面である。凹側中間面３ｂは、底面３ａから延びる面であり、短手方向１Ｓに関する底面３ａの両側に配置されている。
【００１６】
同様に、凸面部４には、頂面４ａと凸側中間面４ｂとが含まれている。頂面４ａは、凸面部４の最も突出した頂部を含む所定幅の面である。凸側中間面４ｂは、頂面４ａから延びる面であり、短手方向１Ｓに関する頂面４ａの両側に配置されている。また、凸側中間面４ｂは、凹側中間面３ｂに接続されている。
【００１７】
凹面部３及び凸面部４に占める凹側中間面３ｂ及び凸側中間面４ｂの広さは任意であるが、例えば凹面部３及び凸面部４の境界から凹面部３の深さ及び凸面部４の高さの半分の領域を凹側中間面３ｂ及び凸側中間面４ｂとすることができる。
【００１８】
図１及び図２では図示を省略しているが、凹面部３及び凸面部４には、塗装により色及び／又は柄が付されている。色及び／又は柄が付されているとは、色及び柄の少なくとも一方が付されていることを意味している。すなわち、Ａ及び／又はＢとの説明は、Ａ及びＢの少なくとも一方と言い換えることができる。このように凹面部３及び凸面部４の色及び／又は柄が変えられることにより、意匠の多様性を得ることができる。
【００１９】
色が異なるとは、第１色と第２色との色相、明度及び彩度の少なくも１つが異なることを意味する。
色相が異なるとは、赤、黄、緑、青、紫など「色みの違い」のことを言う。
明度が異なるとは、「明るさの違い」のことを言う。例えば、最も明るい色は白、最も暗い色は黒であり、その中間に明度が異なる灰色がある。
彩度が異なるとは、色の「鮮やかさの違い」のことを言う。例えば、日の丸の赤は彩度が高い鮮やかな赤であるが、レンガ色は彩度が低い,くすんだ赤と言える。
【００２０】
次に、図３は、図２の凹面部３及び凸面部４に付される柄の例を示す説明図である。柄が異なるとは、柄の種類及び柄の疎密の少なくとも一方が異なることを意味する。
【００２１】
柄の種類の種類としては、図３に示すように、縦線柄、斜線柄、ドット柄及び格子柄を例示できる。縦線柄は、金属製板状建築材１の長手方向１Ｌに延びる複数の直線からなる柄である。斜線柄は、金属製板状建築材１の長手方向１Ｌに対して傾斜した方向に延びる複数の直線からなる柄である。ドット柄は、離散又は隣接した複数のドットからなる柄である。格子柄は、金属製板状建築材１の長手方向１Ｌに延びる複数の直線と、それらに交わるように金属製板状建築材１の短手方向１Ｓに延びる複数の直線とからなる柄である。
【００２２】
柄の疎密が異なるとは、柄を構成する塗料が単位面積内で占める割合が異なることを意味する。疎の柄を構成する塗料が単位面積内で占める割合は、密の柄を構成する塗料が単位面積内で占める割合よりも低い。柄を構成する塗料は、各面部３，４に付されている色よりも暗い色（明度が低い色）とされる。
【００２３】
次に、図４は図２の凹面部３及び凸面部４に付される色及び柄をより具体的に示す説明図である。図４のＮｏ．１に示すように、凹面部３に暗色を付すとともに、凸面部４に明色を付すことができる。明色は暗色よりも明るい色（明度が高い色）である。このような配色とすることで、金属製板状建築材１の凹凸をより立体的に感じさせることができる。
【００２４】
また、図４のＮｏ．２に示すように、凹面部３及び凸面部４に同じ色を付す一方で、凹面部３に柄を付すとともに、凸面部４を無柄とすることができる。このように柄を配置することで、金属製板状建築材１の凹凸をより立体的に感じさせることができる。
【００２５】
また、図４のＮｏ．３に示すように、凹面部３に暗色を付すとともに、凸面部４に明色を付し、さらに凹面部３を無柄とするとともに、凸面部４に柄を付すことができる。このように凹面部３及び凸面部４で色及び柄を互いに異なるようにしてもよい。各面部３，４で色及び柄を互いに異なるようにすることで、金属製板状建築材１の凹凸をより立体的に感じさせることができるとともに、意匠の多様性をより多くすることができる。
【００２６】
各面部３，４内で色及び柄の少なくとも一方を徐々に変化させてもよい。この場合、金属製板状建築材１の長手方向１Ｌに沿って色及び柄を変化させてもよいし、金属製板状建築材１の長手方向１Ｌに交わる方向に沿って色及び柄を変化させてもよい。色の変化には、色相の変化、明度の変化及び彩度の変化の少なくとも１つが含まれる。柄の変化には、疎密の変化及び種類の変化の少なくとも１つが含まれる。
【００２７】
次に、図５は、図１の金属製板状建築材１を製造するための方法を示すフローチャートである。図５に示すように、本実施の形態の製造方法には、プレコート金属板を製造する工程（ステップＳ１）と、成形工程（ステップＳ２）とが含まれる。
【００２８】
本実施の形態の製造方法では、成形加工の前に、平板状の金属板に塗装を施したプレコート金属板を製造する。プレコート金属板は、成形加工の後に、上述のように凹面部３に付されている色及び／又は柄が凸面部４に付されている色及び／又は柄と異なるように塗装が施されたものである。換言すれば、プレコート金属板では、成形加工後に複数の凹面部３及び凸面部４となる領域に互いに異なる色及び／又は柄が付されている。塗装としては、凸版印刷、平板印刷、凹版印刷及びインクジェット印刷を含む印刷機による印刷を適用することができる。プレコート金属板の素材である平板状の金属板として、単色で塗装された金属板を使用し、その上に他の色及び／又は柄を付すこともできる。
【００２９】
プレコート金属板を製造した後に、そのプレコート金属板に成形加工を施して、凹面部３及び凸面部４を形成する。成形加工としては、ロール成形、ベンダー成形及びプレス成型等を適用することができる。
【００３０】
次に、図６は、図１の凹側中間面３ｂ及び凸側中間面４ｂをより詳細に示す説明図である。図６に示す底面３ａ及び頂面４ａには互いに異なる色及び／又は柄が付されている。それらの間に位置する凹側中間面３ｂ及び凸側中間面４ｂに付されている色及び／又は柄は、底面３ａに付されている色及び／又は柄から頂面４ａに付されている色及び／又は柄に徐々に変化するものとされている。例えば、底面３ａに柄が付されているとともに、頂面４ａに柄が付されていない場合、底面３ａから頂面４ａに向けて徐々に疎となる柄が凹側中間面３ｂ及び凸側中間面４ｂに付されている。同様に、底面３ａに第１色が付されているとともに、頂面４ａに第２色が付されている場合、底面３ａから頂面４ａに向けて第１色から第２色に徐々に変化する色が凹側中間面３ｂ及び凸側中間面４ｂに付されている。
【００３１】
図５を用いて説明したようにプレコート金属板を製造した後に成形加工を施す際、プレコート金属板の塗装と成形加工の加工位置との間に誤差が生じる虞がある。図６に示すように凹側中間面３ｂ及び凸側中間面４ｂに付されている色及び／又は柄を徐々に変化させることで、塗装と成形加工の加工位置との間の誤差を目立ちにくくすることができる。
【００３２】
このような金属製板状建築材１では、凹面部３に付されている色及び／又は柄が、凸面部４に付されている色及び／又は柄と異なるので、意匠の多様性を得ることができる。
【００３３】
また、凹側中間面３ｂ及び凸側中間面４ｂに付されている色及び／又は柄は、底面３ａに付されている色及び／又は柄から頂面４ａに付されている色及び／又は柄に徐々に変化するので、塗装と成形加工との間の誤差を目立ちにくくすることができる。
【符号の説明】
【００３４】
１    金属製板状建築材
１Ｌ  長手方向
３    凹面部
３ａ  底面
３ｂ  凹側中間面
４    各凸面部
４ａ  頂面
４ｂ  凸側中間面
【図１】
2018172898.tif 000003
【図２】
2018172898.tif 000004
【図３】
2018172898.tif 000005
【図４】
2018172898.tif 000006
【図５】
2018172898.tif 000007
【図６】
2018172898.tif 000008